(57)【要約】      （修正有）【課題】大型タイルが下地材から外れて落下することがなく、隣接する大型タイル同士の表面側における高さ調節が可能で、さらに、取り付け作業が極めて容易で工期の短縮が可能な大型タイル取付金具およびそれを用いた大型タイル取付構造を提供する。【解決手段】大型タイル取付金具１は、下地材と大型タイルとの間に介在され下地材に大型タイルを取り付けるための大型タイル取付金具であって、上段の大型タイルの裏面側を当接させるための第１突出部２と、第１突出部２の下部に設けられ下段の大型タイルの裏面側を当接させるための第２突出部３と、大型タイルの裏面に形成された凹条溝に挿入される挿入片４と、下地材に固定するための固定用部材挿通穴５Ａ，５Ｂとを有している。【選択図】図２
0003157055.tif 000002
【実用新案登録請求の範囲】
【請求項１】
下地材と大型タイルとの間に介在され前記下地材に前記大型タイルを取り付けるための大型タイル取付金具であって、該大型タイル取付金具は、上段の大型タイルの裏面側を当接させるための第１突出部と、該第１突出部の下部に設けられ下段の大型タイルの裏面側を当接させるための第２突出部と、大型タイルの裏面に形成された凹条溝に挿入される挿入片と、下地材に固定するための固定用部材挿通穴とを有していることを特徴とする大型タイル取付金具。
【請求項２】
前記第１突出部と前記第２突出部は、側面視において同一の高さに形成されている請求項１に記載の大型タイル取付金具。
【請求項３】
前記挿入片は、側面視において斜め上方に向かって突出している請求項１または２に記載の大型タイル取付金具。
【請求項４】
前記固定用部材挿通穴は、前記第１突出部と前記第２突出部との間に形成されている請求項１ないし３のいずれかに記載の大型タイル取付金具。
【請求項５】
前記固定用部材挿通穴は、上下に２個形成されている請求項４に記載の大型タイル取付金具。
【請求項６】
前記第１突出部と前記第２突出部との間には、前記大型タイル取付金具を下地材に取り付けるための位置決め用ラインが設けられている請求項１ないし５のいずれかに記載の大型タイル取付金具。
【請求項７】
前記大型タイル取付金具は、板状体にて形成され、前記第１突出部、前記第２突出部および前記挿入片はそれぞれ、前記板状体を屈曲または湾曲させて形成されている請求項１ないし６のいずれかに記載の大型タイル取付金具。
【請求項８】
下地材と、該下地材に取り付けられた大型タイルと、前記下地材と前記大型タイルとの間に介在され前記下地材に前記大型タイルを取り付けるための大型タイル取付金具とを有した大型タイル取付構造であって、前記大型タイル取付金具は、上段の大型タイルの裏面側に当接するための第１突出部と、該第１突出部の下部に設けられ下段の大型タイルの裏面側に当接するための第２突出部と、大型タイルの裏面に形成された凹条溝に挿入される挿入片と、前記下地材に固定するための固定用部材挿通穴とを有しており、前記大型タイル取付金具は前記固定用部材挿通穴に固定用部材を挿通して前記下地材に固定され、前記大型タイルは裏面に形成された前記凹条溝に前記大型タイル取付金具の挿入片が挿入されて係止されると共に、上段の大型タイルは、前記大型タイル取付金具の前記第１突出部に裏面側が当接され、当該上段の大型タイルの下に位置する大型タイルは、前記大型タイル取付金具の前記第２突出部に裏面側が当接されていることを特徴とする大型タイル取付構造。
【請求項９】
前記大型タイルの外周の隣接する二辺には、前記下地材への張設前に目地材が取り付けられている請求項８に記載の大型タイル取付構造。
【請求項１０】
前記大型タイル取付金具の前記第１突出部と前記第２突出部は、側面視において同一の高さに形成されている請求項８または９に記載の大型タイル取付構造。
【請求項１１】
前記大型タイル取付金具の前記挿入片は、側面視において斜め上方に向かって突出しており、他方、前記大型タイルの前記凹条溝は、裏面側から表面側に向かって斜め上方に形成されており、前記大型タイルは前記挿入片が斜め上方に向かって差し込まれて係止されている請求項８ないし１０のいずれかに記載の大型タイル取付構造。
【請求項１２】
前記大型タイル取付金具の前記挿入片には、前記大型タイル取付金具の左右両端よりそれぞれ延出するように配された大型タイル高さ保持部材が掛け渡されている請求項８ないし１１のいずれかに記載の大型タイル取付構造。
【考案の詳細な説明】
【技術分野】
【０００１】
本考案は、建築物等の壁面などへの乾式工法またはＰＣ板などの先付け工法に使用して好適な大型タイル取付金具およびそれを用いた大型タイル取付構造に関するものである。
【背景技術】
【０００２】
近年、タイル施工技術者の減少、工期短縮またはコスト低減などの要請から、タイルの施工方法として乾式工法やＰＣ板などの先付け工法が一般化している。
これらの工法において下地材に大型タイルを金具などで固定することが行われており、例えばそのような大型タイル取付金具として、特開２００７−１３８４６８号公報のタイル受け具が提案されている。
【０００３】
このタイル受け具８０は、図１０に示すように、全体が長方形に形成され中間部が若干弯形する板材８１であって、中央上端部に躯体取付け孔８２が設けられると共に、中央部に水平方向に切り起した自重受け片８３が設けられ、さらに、中央下端部にタイル９０裏面に埋設されたインサートナット９１に螺子９２を挿通するための螺子挿通長孔８４が設けられたものである。そして、このタイル受け金具８０を使用して施工する場合は、タイル９０と一体化されたプレート９３の上端部裏面に螺子９２にて板材８１を取付け、弾性接着剤９４をプレート９３の裏面部に塗布した後、下地材９５にタイル９０を貼付け、板材８１の躯体取付け孔８２にビス９６を通してモル下地材９５に固定する。さらに、上段のタイル９０及びプレート９３を板材８１の自重受け片８３上に載置し、上下のタイル９０間に柔軟目地材９７を充填することによりタイル９０を取り付ける。
【０００４】
しかし、このタイル受け具８０によるタイル取付構造では、タイル９０はプレート９３を板材８１の自重受け片８３上に載置するのみで保持されているので、タイル９０が外れて落下するおそれがあった。また、隣接するタイル同士の表面側の高さを調節する構成要素がなく、表面側で段差を設けたり逆に段差が生じないように張設することができなかった。さらに、タイル９０の裏面にインサートナット９１を埋設固着する作業が必要であり、また、タイル９０とタイル受け具８０とを螺子９２で固定した後、板材８１の躯体取付け孔８２にビス９６を通し下地材９５に固定する必要があり、取り付け作業が煩雑であった。
【特許文献１】特開２００７−１３８４６８号公報
【考案の開示】
【考案が解決しようとする課題】
【０００５】
そこで、本考案の課題は、大型タイルが下地材から外れて落下することがなく、隣接する大型タイル同士の表面側における高さ調節が可能で、さらに、取り付け作業が極めて容易で工期の短縮が可能な大型タイル取付金具およびそれを用いた大型タイル取付構造を提供することにある。
【課題を解決するための手段】
【０００６】
上記課題を解決するものは、下地材と大型タイルとの間に介在され前記下地材に前記大型タイルを取り付けるための大型タイル取付金具であって、該大型タイル取付金具は、上段の大型タイルの裏面側を当接させるための第１突出部と、該第１突出部の下部に設けられ下段の大型タイルの裏面側を当接させるための第２突出部と、大型タイルの裏面に形成された凹条溝に挿入される挿入片と、下地材に固定するための固定用部材挿通穴とを有していることを特徴とする大型タイル取付金具である。
【０００７】
前記第１突出部と前記第２突出部は、側面視において同一の高さに形成されていることが好ましい。前記挿入片は、側面視において斜め上方に向かって突出していることが好ましい。前記固定用部材挿通穴は、前記第１突出部と前記第２突出部との間に形成されていることが好ましい。前記固定用部材挿通穴は、上下に２個形成されていることが好ましい。前記第１突出部と前記第２突出部との間には、前記大型タイル取付金具を下地材に取り付けるための位置決め用ラインが設けられていることが好ましい。前記大型タイル取付金具は、板状体にて形成され、前記第１突出部、前記第２突出部および前記挿入片はそれぞれ、前記板状体を屈曲または湾曲させて形成されていることが好ましい。
【０００８】
また、上記課題を解決するものは、下地材と、該下地材に取り付けられた大型タイルと、前記下地材と前記大型タイルとの間に介在され前記下地材に前記大型タイルを取り付けるための大型タイル取付金具とを有した大型タイル取付構造であって、前記大型タイル取付金具は、上段の大型タイルの裏面側に当接するための第１突出部と、該第１突出部の下部に設けられ下段の大型タイルの裏面側に当接するための第２突出部と、大型タイルの裏面に形成された凹条溝に挿入される挿入片と、前記下地材に固定するための固定用部材挿通穴とを有しており、前記大型タイル取付金具は前記固定用部材挿通穴に固定用部材を挿通して前記下地材に固定され、前記大型タイルは裏面に形成された前記凹条溝に前記大型タイル取付金具の挿入片が挿入されて係止されると共に、上段の大型タイルは、前記大型タイル取付金具の前記第１突出部に裏面側が当接され、当該上段の大型タイルの下に位置する大型タイルは、前記大型タイル取付金具の前記第２突出部に裏面側が当接されていることを特徴とする大型タイル取付構造である。
【０００９】
前記大型タイルの外周の隣接する二辺には、前記下地材への張設前に目地材が取り付けられていることが好ましい。前記大型タイル取付金具の前記第１突出部と前記第２突出部は、側面視において同一の高さに形成されていることが好ましい。前記大型タイル取付金具の前記挿入片は、側面視において斜め上方に向かって突出しており、他方、前記大型タイルの前記凹条溝は、裏面側から表面側に向かって斜め上方に形成されており、前記大型タイルは前記挿入片が斜め上方に向かって差し込まれて係止されていることが好ましい。前記大型タイル取付金具の前記挿入片には、前記大型タイル取付金具の左右両端よりそれぞれ延出するように配された大型タイル高さ保持部材が掛け渡されていることが好ましい。
【考案の効果】
【００１０】
請求項１に記載した考案によれば、大型タイルが下地材から外れて落下することがなく、隣接する大型タイル同士の表面側における高さ調節が可能で、さらに、取り付け作業が極めて容易で工期の短縮が可能な大型タイル取付金具となる。
請求項２に記載した考案によれば、同一肉厚の大型タイルを使用すれば、隣接する大型タイル同士に表面側で段差が生じることなく同一平面に構成でき、肉厚の異なる大型タイルを使用すれば、表面側で肉厚に対応した段差をより正確に構成できる。
請求項３に記載した考案によれば、大型タイルが下地材から外れて落下することをより確実に防止できる。
請求項４に記載した考案によれば、大型タイル取付金具を下地材により安定して固定できる。
請求項５に記載した考案によれば、下地材への取り付け位置に応じて固定用部材挿通穴を選択できると共に、大型タイル取付金具を２つの固定用部材挿通穴の間で分断して、一方を最上段のタイルの取り付けに使用し、他方を最下段のタイルの取り付けに使用することができる。
請求項６に記載した考案によれば、下地材への大型タイル取付金具の取り付けがより容易になる。
請求項７に記載した考案によれば、上記効果を有する大型タイル取付金具をより低廉かつ容易に作製できる。
請求項８に記載した考案によれば、大型タイルが下地材から外れて落下することがなく、隣接する大型タイル同士の表面側における高さ調節が可能で、さらに、取り付け作業が極めて容易で工期の短縮が可能な大型タイル取付構造を構成できる。
請求項９に記載した考案によれば、目地形成が極めて容易な大型タイル取付構造となる。
請求項１０に記載した考案によれば、同一肉厚の大型タイルを使用すれば、隣接する大型タイル同士に表面側で段差が生じることなく同一平面に構成でき、肉厚の異なる大型タイルを使用すれば、表面側で肉厚に対応した段差をより正確に構成できる。
請求項１１に記載した考案によれば、大型タイルが下地材から外れて落下することをより確実に防止できる。
請求項１２に記載した考案によれば、大型タイルを一つの大型タイル取付金具で下地材に取り付けた場合でも、大型タイルの裏面側に大型タイル高さ保持部材が配されているため、大型タイルの左右でガタツキが生じることなく張設できる。
【図面の簡単な説明】
【００１１】
【図１】本考案の大型タイル取付金具の一実施例の正面図である。
【図２】図１のＡ―Ａ線断面図である。
【図３】図１に示した大型タイル取付金具を中央部で分断した状態を示す正面図である。
【図４】図１に示した大型タイル取付金具を下地材に取り付けた状態を示す正面図である。
【図５】本考案の大型タイル取付構造を説明するための正面図である。
【図６】本考案の大型タイル取付構造を説明するための正面図である。
【図７】図６のＢ―Ｂ線断面図である。
【図８】本考案の大型タイル取付金具の他の実施例の縦断面図である。
【図９】本考案の大型タイル取付構造の他の実施例を説明するための正面図である。
【図１０】従来の大型タイル取付金具および大型タイル取付構造を説明するための縦断面図である。
【考案を実施するための形態】
【００１２】
本考案は、上段の大型タイルの裏面側を当接させるための第１突出部と、第１突出部の下部に設けられ下段の大型タイルの裏面側を当接させるための第２突出部と、大型タイルの裏面に形成された凹条溝に挿入される挿入片とを有することにより、大型タイルが下地材から外れて落下することがなく、隣接する大型タイル同士の表面側における高さ調節が可能で、取り付け作業が極めて容易で工期の短縮が可能な大型タイル取付金具およびそれを用いた大型タイル取付構造を実現した。
【実施例１】
【００１３】
本考案のタイルを図１ないし図３に示した一実施例を用いて説明する。
この実施例の大型タイル取付金具１は、下地材と大型タイルとの間に介在され下地材に大型タイルを取り付けるための大型タイル取付金具であって、図１または図２に示すように、上段の大型タイルの裏面側を当接させるための第１突出部２と、第１突出部２の下部に設けられ下段の大型タイルの裏面側を当接させるための第２突出部３と、大型タイルの裏面に形成された凹条溝に挿入される挿入片４と、下地材に固定するための固定用部材挿通穴５Ａ，５Ｂとを有している。以下、各構成について順次詳述する。
【００１４】
この実施例の大型タイル取付金具１は、図７に示すように、下地材６０と大型タイル７０Ａ，７０Ｂとの間に介在され、下地材６０に大型タイルを取り付けるためのものである。
【００１５】
大型タイル取付金具１は、図１に示すような正面視矩形のステンレス製板状体にて形成されており、大型タイルを保持した状態でも経時的に変形しない剛性と強度を備えている。
【００１６】
そして、大型タイル取付金具１は、図２に示すように、上段の大型タイルの裏面側を当接させるための第１突出部２と、第１突出部２の下部に設けられ下段の大型タイルの裏面側を当接させるための第２突出部３とを有している。
【００１７】
第１突出部２は大型タイル取付金具１の上部付近に設けられており、図７に示すように、上段の大型タイル７０Ａの裏面側と当接して表面側における高さ（下地材６０の表面から大型タイル７０Ａの表面までの距離）を決定するように作用する。他方、第２突出部３は大型タイル取付金具１の下部付近に設けられており、図７に示すように、下段の大型タイル７０Ｂの裏面側と当接して表面側における高さ（下地材６０の表面から大型タイル７０Ｂの表面までの距離）を決定するように作用する。
【００１８】
具体的には、この実施例の第１突出部２と前記第２突出部３はそれぞれ、図２に示すように、板状体を屈曲させて側面視において三角形状に形成されており、頂部２ａ，３ａ，において大型タイル７０の裏面側と当接するように構成されている。ただし、第１突出部と前記第２突出部の形状は三角形状に限定されるものではなく、例えば円形、楕円形或いは四角形状などでもよい。また、この実施例のように、大型タイルの裏面側と直接当接するものに限定されず、大型タイルの裏面に張設されたシート材などを介して間接的に当接するものでもよい。
【００１９】
さらに、この実施例の第１突出部２と第２突出部３は、図２に示すように、同一の高さに形成されている。これにより、図７に示すように、同一肉厚の大型タイル７０Ａ，７０Ｂを使用すれば、隣接する大型タイル７０Ａ，７０Ｂ同士に表面側で段差が生じることなく同一平面を構成できる。また、肉厚の異なる大型タイルを使用すれば、表面側で肉厚に対応した段差をより正確に構成できる。なお、この実施例の第１突出部２と第２突出部３は同一の高さに形成されているが、これに限定されるものでなく、第１突出部と第２突出部とが側面視において異なる高さを有するものも本考案の範疇に包含される。第１突出部と第２突出部とが側面視において異なる高さを有する場合は、同一肉厚の大型タイル７０Ａ，７０Ｂを使用しても表面側で段差を生じさせることができる。
【００２０】
このように、本考案の大型タイル取付金具１は、タイル張設側に向かって突出する第１突出部と第２突出部とを有しているため、隣接する大型タイル同士の表面側における高さ調節が可能となる。
【００２１】
挿入片４は、図７に示すように、大型タイル７０の裏面に形成された凹条溝７１内に挿入させて大型タイル７０Ｂを係止するためのものであり、この実施例の挿入片４は、図２に示すように、大型タイル取付金具１の下部を屈曲させて形成されており、側面視において板状体の延在方向に対して約４５゜斜め上方に向かって突出するように形成されている。なお、この実施例の挿入片４は大型タイル取付金具１の下部に設けられているが、どの部位に設けられていてもよく、例えば大型タイル取付金具１の上部に設けられていてもよい。また、この実施例の挿入片４は斜め上方に向かって突出しており、タイルの落下防止の観点から最も好ましいが、例えば水平方向に向かって突出するもの、斜め上方に向かって突出するものなども本考案の範疇に包含される。
【００２２】
固定用部材挿通穴５Ａ，５Ｂは、図７に示すように、固定用部材８を挿通させて大型タイル取付金具１を下地材６０に固定するための部位であり、この実施例では、第１突出部２と第２突出部３との間に形成されている。これにより、大型タイル取付金具１を下地材６０により安定して固定できる。また、この実施例の前記固定用部材挿通穴は、上下に２個形成されている。これにより、下地材６０への取り付け位置に応じて固定用部材８を挿通させる固定用部材挿通穴５Ａ，５Ｂを適宜選択できると共に、図３に示すように、大型タイル取付金具１を２つの固定用部材挿通穴５Ａ，５Ｂの間（後述する位置決め用ライン６）で分断して、一方１Ａを最上段のタイル７０Ｐの取り付けに使用し、他方１Ｂを最下段のタイル７０Ｂの取り付けに使用することができる。
【００２３】
第１突出部２と第２突出部３との間には、図１に示すように、大型タイル取付金具１を下地材に取り付けるための位置決め用ライン６が設けられている。この位置決め用ライン６は、大型タイル取付金具１の長手方向に対して直交する方向に延在するよう刻設されており、使用に際しては、下地材に大型タイルを当て、大型タイルの上端辺を用いて下地材にラインを形成した後、そのラインに位置決め用ライン６を合わせた状態で固定用部材挿通穴５に固定用部材８を挿通して下地材に固定することによって、下地材への大型タイル取付金具の取り付けがより容易なものとなる。
【００２４】
また、大型タイル取付金具は、この実施例のように、板状体にて形成され、第１突出部２、第２突出部３および挿入片４はそれぞれ、この板状体を屈曲または湾曲させて形成されていることが好ましい。これにより、大型タイル取付金具をより低廉かつ容易に作製できる。
【００２５】
つぎに、図８に示した本考案の大型タイル取付金具の他の実施例について説明する。
この実施例の大型タイル取付金具１０と前述した大型タイル取付金具１との相違は、大型タイル取付金具１０が上部にも挿入片１４を有している点のみであり他は同じである。同一構成部分については同一符号付し説明を省略する。
【００２６】
大型タイル取付金具１０の挿入片１４は、挿入片４と同様、大型タイルの裏面に形成された凹条溝内に挿入させて大型タイルを係止するためのものであり、大型タイル取付金具１０の上部を屈曲させて形成されている。具体的には、挿入片１４は、側面視において板状体の延在方向に対して約４５゜斜め下方に向かって突出するように形成されており、大型タイルの裏面に斜め下方に向かって形成された凹条溝内に挿入され、挿入片４と協働して大型タイルをより保持するように作用する。なお、この実施例の挿入片１４は斜め下方に向かって突出しているが、例えば斜め上方或いは水平方向に向かって突出するものでもよい。
【００２７】
さらに、本発明の大型タイル取付構造を図４ないし図７に示した一実施例を用いて説明する。
この実施例の大型タイル取付構造５０は、図６または図７に示すように、下地材６０と、下地材６０に取り付けられた大型タイル７０Ａ，７０Ｂと、下地材６０と大型タイル大型タイル７０Ａ，７０Ｂとの間に介在され下地材６０に大型タイル７０Ａ，７０Ｂを取り付けるための大型タイル取付金具１とを有した大型タイル取付構造であって、大型タイル取付金具１は、上段の大型タイル７０Ａの裏面側に当接するための第１突出部２と、第１突出部２の下部に設けられ下段の大型タイル７０Ｂの裏面側に当接するための第２突出部３と、大型タイル７０Ｂの裏面に形成された凹条溝７１に挿入される挿入片４と、下地材６０に固定するための固定用部材挿通穴５とを有しており、大型タイル取付金具１は固定用部材挿通穴５に固定用部材８を挿通して下地材６０に固定され、大型タイル７０Ｂは裏面に形成された凹条溝７１に大型タイル取付金具１の挿入片４が挿入されて係止されると共に、上段の大型タイル７０Ａは、大型タイル取付金具１の第１突出部２に裏面側が当接され、当該上段の大型タイル７０Ａの下に位置する大型タイル７０Ｂは、大型タイル取付金具１の第２突出部３に裏面側が当接されていることを特徴とする大型タイル取付構造である。以下、各構成について順次詳述するが、大型タイル取付金具１は前述した通りの構成であり詳述を省略する。  
【００２８】
下地材６０は大型タイルを取り付けるためのものであり、この実施例の下地材６０は木質系下地材であるが、大型タイルを張設するものであればどのようなものでもよく、例えばコンクリート製躯体、ベースボード、パネル工法におけるセメント板などでもよい。
【００２９】
大型タイル７０は、壁面等を構成する下地材６０に張設されるものであればどのような材質のものでもよいが、この実施例の７０Ａ，７０Ｂ，７０Ｐは、天然石タイルである。また、この実施例の大型タイル７０Ａ，７０Ｂ，７０Ｐは正面視矩形のタイルであるが、これに限定されるものではなく、例えば円形、楕円形、菱形などの形態を有するタイルであってもよい。さらに、この実施例の大型タイル７０の外周の隣接する二辺には、下地材６０への張設前に目地材７５が取り付けられている。これにより、大型タイルを張設した後に煩雑な目地形成作業が不要となるため、作製が極めて容易な大型タイル取付構造となる。なお、目地材７５としては、発泡性樹脂材料などの樹脂材料、エラストマーなどの弾性材料、木質系材料などが好適に使用できる。
【００３０】
大型タイル取付金具１は、下地材６０と大型タイル７０Ａ，７０Ｂとの間に介在され、下地材６０に大型タイル７０Ａ，７０Ｂを取り付けるためのものであり、上段の大型タイル７０Ａの裏面側に当接するための第１突出部２と、第１突出部２の下部に設けられ下段の大型タイル７０Ｂの裏面側に当接するための第２突出部３と、大型タイル７０Ｂの裏面に形成された凹条溝７１に挿入される挿入片４と、下地材６０に固定するための固定用部材挿通穴５とを有している。
【００３１】
そして、この実施例の大型タイル取付構造５０は、図４に示すように、まず、大型タイル取付金具１が下地材６０に固定されて構成されている。具体的には、大型タイル取付金具１は、固定用部材挿通穴５に固定用部材８が挿通されて下地材６０に固定されている。また、大型タイル取付金具１を分断して形成した１Ａが最上段のタイルの裏面側に相当する位置に固定され、他方１Ｂは最下段のタイルの裏面側に相当する位置に固定されている。
【００３２】
つぎに、図５に示すように、下地材６０に取り付けられた大型タイル取付金具１にて大型タイルが張設され構成されている。具体的には、大型タイル７０Ｂの裏面に形成された凹条溝７１内に大型タイル取付金具１の挿入片４が挿入され係止されて張設されている。この状態で、大型タイル７０Ｂは、大型タイル取付金具１の第２突出部３に裏面側が当接されている。
【００３３】
さらに、図６に示すように、大型タイル７０Ｂの上段に配される大型タイル７０Ａが、上段の所要位置に固定された大型タイル取付金具１（図示しない）にて張設され構成されている。具体的には、大型タイル７０Ａの裏面に形成された凹条溝７１内に大型タイル取付金具１の挿入片４が挿入され係止され張設されている。この状態で、大型タイル７０Ａは、上段の所要位置に固定された大型タイル取付金具１の第２突出部３に裏面側が当接されていると共に、下段の所要位置に固定された大型タイル取付金具１の第１突出部２に裏面側が当接されて、大型タイル７０Ａと大型タイル７０Ｂの高さ調節がなされている。
【００３４】
なお、大型タイルの裏面に形成された凹条溝７１内に大型タイル取付金具１の挿入片４が挿入される際には、凹条溝７１内に例えばエポキシ樹脂などの接着材が充填されていることが好ましい。これにより、タイルの落下をより防止できる。また、大型タイル取付金具１の第１突出部２と第２突出部３は、側面視において同一の高さに形成されていることが好ましい。これにより、同一肉厚の大型タイルを使用すれば、隣接する大型タイル同士に表面側で段差が生じることなく同一平面に構成でき、肉厚の異なる大型タイルを使用すれば、表面側で肉厚に対応した段差をより正確に構成できる。さらに、大型タイル取付金具１の挿入片４は、側面視において斜め上方に向かって突出しており、他方、大型タイル７０Ｂの凹条溝７１は、裏面側から表面側に向かって斜め上方に形成されており、大型タイル７０Ｂは挿入片４が斜め上方に向かって差し込まれて係止されていることが好ましい。これにより、大型タイルが下地材から外れて落下することをより確実に防止できる。
【００３５】
本考案の大型タイル取付構造５０は、以上のように構成されることにより、大型タイルが下地材から外れて落下することがなく、隣接する大型タイル同士の表面側における高さ調節が可能で、さらに、取り付け作業が極めて容易で工期の短縮が可能な大型タイル取付構造となる。また、本考案の大型タイル取付構造５０は、大型タイル取付金具１が第１突出部２および第２突出部３を有することにより、図７に示すように、下地材６０と大型タイル７０との間に所定間隔の空隙が構成されるため、断熱効果があり、また、この空隙内に断熱材、被覆材、緩衝材などを配することも可能であり、この空隙内に配線することも可能となる。さらに、大型タイル７０と大型タイル取付金具１とは、凹条溝７１内に充填された接着材により強固に固定されているため、下地材６０から取り外して他の大型タイルと取り替えることができ、また、取り外された大型タイル７０は大型タイル取付金具１により他の部位に張設して再利用することも可能である。
【００３６】
さらに、図９に示した本考案の大型タイル取付構造の他の実施例について説明する。
この実施例の大型タイル取付構造１００と前述した大型タイル取付構造５０との相違は、大型タイル取付構造１００が一つの大型タイル取付金具１で大型タイル７０を下地材６０に取り付けている点と、大型タイル取付金具１の挿入片４には、大型タイル取付金具１の左右両端よりそれぞれ延出するように配された大型タイル高さ保持部材７が掛け渡されている点のみであり他は同じである。同一構成部分については同一符号を付し説明を省略する。
【００３７】
図９に示すように、一つの大型タイル取付金具１で大型タイル７０を下地材６０に取り付ける場合、大型タイル７０の裏面側で左右のガタツキが生じることがあり、これを防止するために、大型タイル取付金具１の挿入片４に、大型タイル取付金具１の左右両端よりそれぞれ延出するように配された大型タイル高さ保持部材７が掛け渡されている。下地材６０と大型タイル７０の裏面との間に、このような介在物を配することにより大型タイル７０の裏面側で左右のガタツキを解消できる。
【００３８】
大型タイル高さ保持部材７は、大型タイル取付金具１の挿入片４の上部に掛け渡され大型タイル７０を配した状態で、第２突出部３と略同一の高さになることが好ましく、形成材料としては、例えば前述した目地材７５と同様の発泡性樹脂材料などの樹脂材料、エラストマーなどの弾性材料、木質系材料などが好適に使用できる。形状としては大型タイル取付金具１の左右両端よりそれぞれ延出する形状のものであればどのようなものでもよいが、この実施例のように線状体の他、環状体などでもよい。
【符号の説明】
【００３９】
１    大型タイル取付金具
２    第１突出部
３    第２突出部
４    挿入片
５    固定用部材挿通穴
６    位置決め用ライン
７    大型タイル高さ保持部材
８    固定用部材
５０  大型タイル取付構造
６０  下地材
７０  大型タイル
【図１】
0003157055.tif 000003
【図２】
0003157055.tif 000004
【図３】
0003157055.tif 000005
【図４】
0003157055.tif 000006
【図５】
0003157055.tif 000007
【図６】
0003157055.tif 000008
【図７】
0003157055.tif 000009
【図８】
0003157055.tif 000010
【図９】
0003157055.tif 000011
【図１０】
0003157055.tif 000012